【手続補正書】
【提出日】平成18年8月29日(2006.8.29)
【手続補正１】
【補正対象書類名】明細書
【補正対象項目名】特許請求の範囲
【補正方法】変更
【補正の内容】
【特許請求の範囲】
【請求項１】
物体側より順に、正の屈折力を有する第１レンズ群と、負の屈折力を有する第２レンズ群と、正の屈折力を有する第３レンズ群と、正の屈折力を有する第４レンズ群とを有し、
広角端状態から望遠端状態までレンズ位置状態が変化する際に、前記第１レンズ群と前記第２レンズ群との間隔が増大し、前記第２レンズ群と前記第３レンズ群との間隔が減少し、前記第３レンズ群と前記第４レンズ群との間隔が増大するように、少なくとも前記第１レンズ群は物体側へ移動し、前記第２レンズ群は一旦像側へ移動した後に物体側へ移動し、前記第３レンズ群は物体側へ移動し、
前記第３レンズ群の近傍には開口絞りが配置されており、当該開口絞りはレンズ位置状態が変化する際に前記第３レンズ群とともに移動し、
以下の条件式を満足することを特徴とする可変焦点距離レンズ系。
０．１５＜Δ１／｛Ｚ・（ｆｗ・ｆｔ）１／２｝＜０．５
０．６＜Ｄ３４Ｗ／ｆｗ＜１．７
但し、
Δ１：広角端状態から望遠端状態までレンズ位置状態が変化する際の前記第１レンズ群の移動量，
ｆｗ：広角端状態における前記可変焦点距離レンズ系全体の焦点距離，
ｆｔ：望遠端状態における前記可変焦点距離レンズ系全体の焦点距離，
Ｚ  ：ズーム比（ｆｔ／ｆｗ），
Ｄ３４Ｗ：広角端状態における前記第３レンズ群と前記第４レンズ群との光軸上間隔．
【請求項２】
請求項１に記載の可変焦点距離レンズ系において、
以下の条件式を満足することを特徴とする可変焦点距離レンズ系。
０．７＜Ｄ２３Ｗ／Δ３＜２．５
但し、
Ｄ２３Ｗ：広角端状態における前記第２レンズ群と前記第３レンズ群との光軸上間隔，
Δ３：広角端状態から望遠端状態までレンズ位置状態が変化する際の前記第３レンズ群の移動量．
【請求項３】
請求項１または請求項２に記載の可変焦点距離レンズ系において、
前記開口絞りは、前記第３レンズ群の物体側近傍に配置されており、
以下の条件式を満足することを特徴とする可変焦点距離レンズ系。
０．７＜Σ３／ｆｗ＜１．５
但し、
Σ３：前記開口絞りから前記第３レンズ群の最も像側のレンズ面までの光軸上距離．
【請求項４】
請求項１から請求項３のいずれか１項に記載の可変焦点距離レンズ系において、
前記第２レンズ群は、最も物体側に配置された負レンズ成分と、当該負レンズ成分よりも像側に配置された少なくとも１つの正レンズ成分とを有し、
以下の条件式を満足することを特徴とする可変焦点距離レンズ系。
０．８＜Σ２／ｆｗ＜１．８
但し、
Σ２：前記第２レンズ群中の最も物体側のレンズ面から最も像側のレンズ面までの光軸上距離．
【請求項５】
請求項１から請求項４のいずれか１項に記載の可変焦点距離レンズ系において、
前記第２レンズ群は、物体側より順に、像側に凹面を向けた負レンズ成分と、像側に凹面を向けた負レンズ成分と、物体側に凸面を向けた正レンズ成分との３つのレンズ成分からなり、
当該３つのレンズ成分は、互いに空気間隔を隔てて配置されており、
以下の条件式を満足することを特徴とする可変焦点距離レンズ系。
１＜ｆ２Ｐ／|ｆ２|＜２
但し、
ｆ２Ｐ：前記第２レンズ群における前記正レンズ成分の焦点距離，
ｆ２  ：前記第２レンズ群の焦点距離．
【請求項６】
請求項１から請求項５のいずれか１項に記載の可変焦点距離レンズ系において、
前記第３レンズ群は、物体側より順に、物体側に凸面を向けた正レンズ成分と、物体側に凹面を向けた負レンズ成分とを有し、
以下の条件式を満足することを特徴とする可変焦点距離レンズ系。
０．６＜|ｆ３Ｎ|／ｆ３＜１．４
但し、
ｆ３Ｎ：前記第３レンズ群における前記負レンズ成分の焦点距離，
ｆ３  ：前記第３レンズ群の焦点距離．
【請求項７】
請求項１から請求項６のいずれか１項に記載の可変焦点距離レンズ系において、
前記第２レンズ群は、非球面を有することを特徴とする可変焦点距離レンズ系。
【請求項８】
請求項１から請求項７のいずれか１項に記載の可変焦点距離レンズ系において、
前記第３レンズ群は、非球面を有することを特徴とする可変焦点距離レンズ系。
【手続補正２】
【補正対象書類名】明細書
【補正対象項目名】００２５
【補正方法】変更
【補正の内容】
【００２５】
本発明の可変焦点距離レンズ系は、広角端状態において第１レンズ群と第２レンズ群とが全体で負の屈折力を有し、発散された光束を第３レンズ群によって収斂する。このため、第２レンズ群と第３レンズ群との間隔を広げすぎると、第３レンズ群に入射する軸上光束が広がり、負の球面収差が大きく発生してしまう。逆に、広角端状態において第２レンズ群と第３レンズ群とを近づけると、第２レンズ群を通過する軸外光束が光軸に近づき、画角の変化による軸外収差の変動を良好に補正することができなくなってしまう。このため、本発明の可変焦点距離レンズ系において、広角端状態における軸外収差をより良好に補正するために、条件Ｄが肝要である。
【手続補正３】
【補正対象書類名】明細書
【補正対象項目名】００３２
【補正方法】変更
【補正の内容】
【００３２】
条件式（４）は、第３レンズ群のレンズ厚を規定する条件式である。
条件式（４）の上限値を上回ると、携帯性の向上を損ねることとなってしまう。携帯性の向上を図ったカメラには、携行時にカメラ本体内にレンズを格納し、カメラ使用時にレンズを繰り出す鏡筒、いわゆる沈胴方式の鏡筒が多く用いられる。この場合、カメラの小型化を図るためには各レンズ群の薄肉化が肝要である。しかし、条件式（４）の上限値を越えて第３レンズ群が大きくなると、携行時のレンズ厚が大きくなり、小型化を十分に図ることができなくなってしまう。
一方、条件式（４）の下限値を下回ると、広角端状態において画角の変化によって発生するコマ収差の変動を良好に補正することができなくなってしまう。
【手続補正４】
【補正対象書類名】明細書
【補正対象項目名】００４１
【補正方法】変更
【補正の内容】
【００４１】
本発明の可変焦点距離レンズ系は、非球面レンズを用いることによって、より高い光学性能を実現することができる。
特に、第２レンズ群の最も物体側に配置された負レンズ成分の少なくとも一方の面を非球面とすることによって、広角端状態において発生する軸外収差をより良く補正することが可能である。また、負レンズ成分の両側の面を非球面とすることによって、より高い光学性能を実現することも可能である。
また特に、第３レンズ群中の少なくとも一つの面を非球面とすることによって、広角端状態において画面周縁部で発生するコマ収差を良好に補正することが可能である。さらに、好ましくは複数の非球面を１つの光学系に用いることによって、より高い光学性能を実現することができる。
【手続補正５】
【補正対象書類名】明細書
【補正対象項目名】００６２
【補正方法】変更
【補正の内容】
【００６２】
【表４】
（全体諸元）
広角端状態    中間焦点距離状態    望遠端状態
ｆ          6.45   〜       15.00      〜    24.30
ＦNO        2.88   〜        3.75      〜     4.50
２ω       74.84   〜       34.56      〜    21.72°
（レンズデータ）
面    曲率半径    間隔   屈折率   アッベ数
1     35.5670    0.900  1.84666   23.78
2     25.2949    3.000  1.81600   46.63
3     81.7907    (D3)   1.0
4     55.7736    0.950  1.69350   53.22
5      9.0909    4.000  1.0 
6    -17.9746    0.800  1.65160   58.54
7     11.2326    1.650  1.0
8     16.8117    2.600  1.80610   33.27
9    -58.3068    (D9)   1.0
10      0.0000    0.500  1.0              （開口絞り）
11      5.6321    2.700  1.49700   81.61
12    -25.0030    1.700  1.0
13    -10.2813    0.800  1.84666   23.83
14    -38.8327    0.650  1.0
15     -6.3119    1.150  1.58913   61.18
16     -6.0000    (D16)  1.0
17     25.0008    1.500  1.60300   65.47
18      0.0000    (D18)  1.0
19      0.0000    3.260  1.51633   64.14  （ガラスブロック）
20      0.0000    (Bf)   1.0
（非球面係数）
第４レンズ面と第１５レンズ面と第１６レンズ面とは非球面であり、それぞれの非球面係数を以下に示す。
［第４面］
κ＝11.0000   Ｃ4 ＝+8.6165×10−5    Ｃ6 ＝-5.7772×10−7
Ｃ8 ＝+4.8229×10−9    Ｃ10＝+1.9002×10−12
［第１５面］
κ＝ 2.5931   Ｃ4 ＝-4.2473×10−4    Ｃ6 ＝+8.0084×10−5
Ｃ8 ＝+2.0467×10−5    Ｃ10＝-5.5844×10−7
［第１６面］
κ＝ 1.0000   Ｃ4 ＝+2.4812×10−4    Ｃ6 ＝+8.0084×10−5
Ｃ8 ＝+1.4345×10−5    Ｃ10＝-3.5453×10−7
（可変間隔データ）
レンズ位置状態が変化する際の可変間隔を以下に示す。
広角端状態  中間焦点距離状態  望遠端状態
ｆ         6.4500        15.0000        24.2971
D3         0.7000        13.6869        20.2971
D9        21.5550         7.2060         1.9990
D16        8.5440        14.5889        19.8175
D18        1.0000         1.0000         1.0000
BF         2.4410         2.4410         2.4410
（条件式対応値）
ｆ２Ｐ ＝ +16.4421
ｆ２   ＝ -12.0859
ｆ３Ｎ ＝ -16.7312
ｆ３   ＝ +14.9978
（１）Δ１／｛Ｚ・（ｆｗ・ｆｔ）１／２｝ ＝ 0.240
（２）Ｄ３４Ｗ／ｆｗ ＝ 1.325
（３）Ｄ２３Ｗ／Δ３ ＝ 1.956
（４）Σ３／ｆｗ ＝ 1.163
（５）Σ２／ｆｗ ＝ 1.550
（６）ｆ２Ｐ／|ｆ２| ＝ 1.360
（７）|ｆ３Ｎ|／ｆ３ ＝ 1.116